(57)【特許請求の範囲】
【請求項１】
利用者を被写体として撮影し、得られた撮影画像に対して前記利用者に編集入力を行わせ、前記編集入力により編集された前記撮影画像をシール紙または携帯端末に出力する画像編集装置であって、
前記撮影画像に複数種類の加工処理を施す加工処理手段と、
前記加工処理を施した加工結果の見本となる複数の加工見本画像と、いずれの前記加工処理にも対応しない非加工見本画像とからなる加工見本画像群を、前記加工処理の種類毎に表示する加工見本画像表示手段と、
前記加工見本画像群において、１つの前記加工見本画像の選択を受け付ける選択受付手段と、
前記加工見本画像の選択を受け付ける度に、選択された前記加工見本画像に対応する前記加工処理を、既に施された他の種類の前記加工処理に重ねて施した前記撮影画像を、加工結果表示領域に表示する加工結果表示手段と、
前記加工見本画像群において、前記非加工見本画像の選択が受け付けられた場合、前記撮影画像の背景領域に合成される背景画像を選択させるための背景選択画面を表示する背景選択画面表示手段と
を備える画像編集装置。
【請求項２】
前記加工見本画像表示手段は、１つの種類の前記加工処理に対応する前記加工見本画像群として、それぞれ異なるバリエーションの前記加工処理を施した加工結果の見本となる複数の前記加工見本画像を表示し、
前記加工結果表示手段は、前記加工見本画像の選択を受け付ける度に、選択された前記加工見本画像に対応するバリエーションの前記加工処理を、既に施された他の種類の前記加工処理に重ねて施した前記撮影画像を、前記加工結果表示領域に表示する
請求項１に記載の画像編集装置。
【請求項３】
前記加工結果表示領域は、複数種類の前記加工処理に対応する複数の前記加工見本画像群が表示される画面上に、１つのみ設けられる
請求項１または２に記載の画像編集装置。
【請求項４】
前記加工見本画像表示手段は、前記加工見本画像群において選択を受け付けた前記加工見本画像を明示する
請求項１乃至３のいずれかに記載の画像編集装置。
【請求項５】
前記利用者を被写体として撮影を行い、前記撮影画像を取得する撮影処理手段をさらに備え、
前記加工見本画像表示手段は、前記撮影処理手段が、前記撮影画像にクロマキー処理を施すためのクロマキー撮影を行ったか否かに応じて、前記非加工見本画像を表示する
請求項４に記載の画像編集装置。
【請求項６】
前記加工見本画像表示手段は、前記撮影処理手段が前記クロマキー撮影を行った場合に、前記非加工見本画像を表示する
請求項５に記載の画像編集装置。
【請求項７】
前記加工処理には、画像の一部または全体の色情報を変更する処理が含まれる
請求項１乃至６のいずれかに記載の画像編集装置。
【請求項８】
前記加工処理には、画像に所定の質感および／または色のレイヤ画像を重畳する処理が含まれる
請求項１乃至７のいずれかに記載の画像編集装置。
【請求項９】
前記加工処理には、画像を所定の形状でトリミングする処理が含まれる
請求項１乃至８のいずれかに記載の画像編集装置。
【請求項１０】
前記加工見本画像表示手段は、前記加工見本画像群において、所定の方向に配列された複数の前記加工見本画像を、前記利用者の操作に応じた所定の演出を伴って表示する
請求項１乃至９のいずれかに記載の画像編集装置。
【請求項１１】
利用者を被写体として撮影し、得られた撮影画像に対して前記利用者に編集入力を行わせ、前記編集入力により編集された前記撮影画像をシール紙または携帯端末に出力し、前記撮影画像に複数種類の加工処理を施す画像編集装置の画像編集方法であって、
前記加工処理を施した加工結果の見本となる複数の加工見本画像と、いずれの前記加工処理にも対応しない非加工見本画像とからなる加工見本画像群を、前記加工処理の種類毎に表示し、
前記加工見本画像群において、１つの前記加工見本画像の選択を受け付け、
前記加工見本画像の選択を受け付ける度に、選択された前記加工見本画像に対応する前記加工処理を、既に施された他の種類の前記加工処理に重ねて施した前記撮影画像を、加工結果表示領域に表示し、
前記加工見本画像群において、前記非加工見本画像の選択が受け付けられた場合、前記撮影画像の背景領域に合成される背景画像を選択させるための背景選択画面を表示する
ステップを含む画像編集方法。
【請求項１２】
利用者を被写体として撮影し、得られた撮影画像に対して前記利用者に編集入力を行わせ、前記編集入力により編集された前記撮影画像をシール紙または携帯端末に出力し、前記撮影画像に複数種類の加工処理を施す画像編集装置を制御するコンピュータに、
前記加工処理を施した加工結果の見本となる複数の加工見本画像と、いずれの前記加工処理にも対応しない非加工見本画像とからなる加工見本画像群を、前記加工処理の種類毎に表示し、
前記加工見本画像群において、１つの前記加工見本画像の選択を受け付け、
前記加工見本画像の選択を受け付ける度に、選択された前記加工見本画像に対応する前記加工処理を、既に施された他の種類の前記加工処理に重ねて施した前記撮影画像を、加工結果表示領域に表示し、
前記加工見本画像群において、前記非加工見本画像の選択が受け付けられた場合、前記撮影画像の背景領域に合成される背景画像を選択させるための背景選択画面を表示する
ステップを含む処理を実行させるプログラム。
【発明の詳細な説明】
【技術分野】
【０００１】
本発明は、画像編集装置、画像編集方法、およびプログラムに関し、特に、利用者に、加工内容を簡単かつ高い自由度で選択させるとともに、加工後の仕上がりを簡単にイメージさせることができるようにする画像編集装置、画像編集方法、およびプログラムに関する。
【背景技術】
【０００２】
利用者を撮影し、撮影画像に対して利用者に落書き編集を行わせ、編集後の画像をシール紙に印刷して提供する写真シール機が知られている。このような写真シール機は娯楽（遊戯）施設等に設置される。
【０００３】
このような写真シール機の中には、編集画面上に、予め合成用画像が合成されている複数のモデルサンプル画像を表示するとともに、それぞれのモデルサンプル画像に合成されている合成用画像のうちの、前景画像の色を選択するための前景カラーパレットと、背景画像の色を選択するための背景カラーパレットとを表示するようにしたものがある（特許文献１参照）。
【０００４】
また、撮影画像の仕上がり具合を調整するために、赤み（被写体の肌の色合い）の調整、明るさ（被写体の肌の白さ）の調整、先鋭度（シャープネス）の調整を、利用者に行わせるようにしたものがある（特許文献２参照）。仕上がり調整画面においては、それぞれの調整具合が７段階でインジケータ表示されるようになされている。
【０００５】
さらに、行列状に配列されて表示されている撮影画像において、撮影画像の明るさ、色味、コントラスト、鮮やかさといった４つの補正情報のうちの２つを、配列の縦方向と横方向の２方向で段階的に変化させることで、所望の補正処理が施された撮影画像を、利用者に選択させるようにしたものがある。
【先行技術文献】
【特許文献】
【０００６】
【特許文献１】特開２０１０−１０９６５１号公報
【特許文献２】特開２００４−３４９９５９号公報
【発明の概要】
【発明が解決しようとする課題】
【０００７】
しかしながら、特許文献１の写真シール機では、利用者は、１つのモデルサンプル画像を選んだ後でしか、そのモデルサンプル画像に合成されている合成用画像の色を変更できず、また、選択したモデルサンプル画像に合成されている合成用画像を、撮影画像に合成させた結果をすぐに確認することはできないため、画像の加工内容を選択する自由度は低く、また、利用者が、加工後の仕上がりをイメージすることは難しかった。
【０００８】
また、特許文献２の写真シール機のように、調整具合が７段階でインジケータ表示されるだけでも、利用者が、加工後の仕上がりをイメージすることは難しかった。
【０００９】
さらに、行列状に配列されて表示されている撮影画像において、２つの補正情報を２方向で段階的に変化させた中から、所望の補正処理が施された撮影画像を選択させるようにした場合、利用者は、どの補正処理が施された撮影画像を選択するか迷ってしまうおそれがあり、利用者が、画像の加工内容を決定することは難しかった。
【００１０】
本発明は、このような状況に鑑みてなされたものであり、利用者に、加工内容を簡単かつ高い自由度で選択させるとともに、加工後の仕上がりを簡単にイメージさせることができるようにするものである。
【課題を解決するための手段】
【００１１】
本発明の一側面の画像編集装置は、利用者を被写体として撮影し、得られた撮影画像に対して前記利用者に編集入力を行わせ、前記編集入力により編集された前記撮影画像をシール紙または携帯端末に出力する画像編集装置であって、前記撮影画像に複数種類の加工処理を施す加工処理手段と、前記加工処理を施した加工結果の見本となる複数の加工見本画像と、いずれの前記加工処理にも対応しない非加工見本画像とからなる加工見本画像群を、前記加工処理の種類毎に表示する加工見本画像表示手段と、前記加工見本画像群において、１つの前記加工見本画像の選択を受け付ける選択受付手段と、前記加工見本画像の選択を受け付ける度に、選択された前記加工見本画像に対応する前記加工処理を、既に施された他の種類の前記加工処理に重ねて施した前記撮影画像を、加工結果表示領域に表示する加工結果表示手段と、前記加工見本画像群において、前記非加工見本画像の選択が受け付けられた場合、前記撮影画像の背景領域に合成される背景画像を選択させるための背景選択画面を表示する背景選択画面表示手段とを備える。
【００１２】
前記加工見本画像表示手段には、１つの種類の前記加工処理に対応する前記加工見本画像群として、それぞれ異なるバリエーションの前記加工処理を施した加工結果の見本となる複数の前記加工見本画像を表示させ、前記加工結果表示手段には、前記加工見本画像の選択を受け付ける度に、選択された前記加工見本画像に対応するバリエーションの前記加工処理を、既に施された他の種類の前記加工処理に重ねて施した前記撮影画像を、前記加工結果表示領域に表示させることができる。
【００１３】
前記加工結果表示領域には、複数種類の前記加工処理に対応する複数の前記加工見本画像群が表示される画面上に、１つのみ設けられるようにすることができる。
【００１４】
前記加工見本画像表示手段には、前記加工見本画像群において選択を受け付けた前記加工見本画像を明示させることができる。
【００１６】
前記利用者を被写体として撮影を行い、前記撮影画像を取得する撮影処理手段をさらに設け、前記加工見本画像表示手段には、前記撮影処理手段が、前記撮影画像にクロマキー処理を施すためのクロマキー撮影を行ったか否かに応じて、前記非加工見本画像を表示させることができる。
【００１７】
前記加工見本画像表示手段には、前記撮影処理手段が前記クロマキー撮影を行った場合に、前記非加工見本画像を表示させることができる。
【００１８】
前記加工処理には、画像の一部または全体の色情報を変更する処理が含まれるようにすることができる。
【００１９】
前記加工処理には、画像に所定の質感および／または色のレイヤ画像を重畳する処理が含まれるようにすることができる。
【００２０】
前記加工処理には、画像を所定の形状でトリミングする処理が含まれるようにすることができる。
【００２１】
前記加工見本画像表示手段には、前記加工見本画像群において、所定の方向に配列された複数の前記加工見本画像を、前記利用者の操作に応じた所定の演出を伴って表示させることができる。
【００２２】
本発明の一側面の画像編集方法は、利用者を被写体として撮影し、得られた撮影画像に対して前記利用者に編集入力を行わせ、前記編集入力により編集された前記撮影画像をシール紙または携帯端末に出力し、前記撮影画像に複数種類の加工処理を施す画像編集装置の画像編集方法であって、前記加工処理を施した加工結果の見本となる複数の加工見本画像と、いずれの前記加工処理にも対応しない非加工見本画像とからなる加工見本画像群を、前記加工処理の種類毎に表示し、前記加工見本画像群において、１つの前記加工見本画像の選択を受け付け、前記加工見本画像の選択を受け付ける度に、選択された前記加工見本画像に対応する前記加工処理を、既に施された他の種類の前記加工処理に重ねて施した前記撮影画像を、加工結果表示領域に表示し、前記加工見本画像群において、前記非加工見本画像の選択が受け付けられた場合、前記撮影画像の背景領域に合成される背景画像を選択させるための背景選択画面を表示するステップを含む。
【００２３】
本発明の一側面のプログラムは、利用者を被写体として撮影し、得られた撮影画像に対して前記利用者に編集入力を行わせ、前記編集入力により編集された前記撮影画像をシール紙または携帯端末に出力し、前記撮影画像に複数種類の加工処理を施す画像編集装置を制御するコンピュータに、前記加工処理を施した加工結果の見本となる複数の加工見本画像と、いずれの前記加工処理にも対応しない非加工見本画像とからなる加工見本画像群を、前記加工処理の種類毎に表示し、前記加工見本画像群において、１つの前記加工見本画像の選択を受け付け、前記加工見本画像の選択を受け付ける度に、選択された前記加工見本画像に対応する前記加工処理を、既に施された他の種類の前記加工処理に重ねて施した前記撮影画像を、加工結果表示領域に表示し、前記加工見本画像群において、前記非加工見本画像の選択が受け付けられた場合、前記撮影画像の背景領域に合成される背景画像を選択させるための背景選択画面を表示するステップを含む処理を実行させる。
【００２４】
本発明の一側面においては、加工処理を施した加工結果の見本となる複数の加工見本画像と、いずれの加工処理にも対応しない非加工見本画像とからなる加工見本画像群が、加工処理の種類毎に表示され、加工見本画像群において、１つの加工見本画像の選択が受け付けられ、加工見本画像の選択を受け付ける度に、選択された加工見本画像に対応する加工処理を、既に施された他の種類の加工処理に重ねて施した撮影画像が、加工結果表示領域に表示され、加工見本画像群において、非加工見本画像の選択が受け付けられた場合、撮影画像の背景領域に合成される背景画像を選択させるための背景選択画面が表示される。
【発明の効果】
【００２５】
本発明によれば、利用者に、加工内容を簡単かつ高い自由度で選択させるとともに、加工後の仕上がりを簡単にイメージさせることが可能となる。
【図面の簡単な説明】
【００２６】
【図１】本発明の一実施の形態に係る写真シール作成装置の外観の構成例を示す斜視図である。
【図２】写真シール作成装置の外観を他の角度からみた斜視図である。
【図３】利用者の移動について説明する図である。
【図４】撮影部の構成例を示す図である。
【図５】背景部の構成例を示す図である。
【図６】編集ユニットの構成例を示す図である。
【図７】編集ユニットの右側面の構成例を示す図である。
【図８】編集ユニットの右側面の構成例を示す図である。
【図９】写真シール作成装置の内部の構成例を示すブロック図である。
【図１０】制御部の機能構成例を示すブロック図である。
【図１１】編集処理部の機能構成例を示すブロック図である。
【図１２】写真シール作成ゲーム処理の流れの例を説明するフローチャートである。
【図１３】編集処理について説明するフローチャートである。
【図１４】編集画面の例を示す図である。
【図１５】ケータイおまけ作成処理の例について説明するフローチャートである。
【図１６】切り取り画面の例を示す図である。
【図１７】加工画面の例を示す図である。
【図１８】加工結果の表示について説明する図である。
【図１９】背景選択画面の例を示す図である。
【図２０】ケータイおまけ作成処理の他の例について説明するフローチャートである。
【図２１】作成コース選択画面の例を示す図である。
【図２２】加工画面の他の例を示す図である。
【図２３】加工画面のさらに他の例を示す図である。
【図２４】加工画面のさらに他の例を示す図である。
【発明を実施するための形態】
【００２７】
以下、本発明を適用した具体的な実施の形態について、図面を参照しながら詳細に説明する。
【００２８】
［写真シール作成装置の外観構成］
図１は、写真シール作成装置１の外観の構成例を示す斜視図である。
【００２９】
写真シール作成装置１は撮影画像や編集画像を提供するゲーム機である。画像の提供は、シール紙に印刷した形で行われることもあるし、サーバに送信した画像を利用者の携帯端末上で閲覧可能にする形で行われることもある。写真シール作成装置１はゲームセンタなどの店舗に設置される。利用者は１人であることもあるが、主に、２人や３人以上等の複数人である。
【００３０】
写真シール作成装置１で遊ぶ利用者は、自身が被写体となって撮影を行い、撮影によって得られた撮影画像の中から選択した画像を、手書きの文字やスタンプ画像を合成して編集することにより、撮影画像を彩り豊かな画像にする。利用者は、撮影画像や編集済みの画像である編集画像が印刷されたシール紙を受け取って一連のゲームを終了させる。
【００３１】
図１に示すように、写真シール作成装置１は、基本的に、撮影ユニット１１と編集ユニット１２が接した状態で設置されることによって構成される。
【００３２】
撮影ユニット１１は、撮影部２１と背景部２２から構成される。撮影部２１と背景部２２は所定の距離だけ離れて設置され、撮影部２１と背景部２２の間に形成される空間が、撮影処理を行う撮影空間となる。
【００３３】
撮影部２１は、利用者を被写体とした撮影処理を行う装置である。撮影部２１は、撮影空間に入った利用者の正面に位置する。撮影空間に臨む撮影部２１の正面には、カメラや各種の操作に用いられるタッチパネルモニタなどが設けられる。撮影空間にいる利用者から見て右側の面を右側面、左側の面を左側面とすると、撮影部２１の右側面が側面パネル４１Ａにより構成され、左側面が側面パネル４１Ｂ（図３）により構成される。
【００３４】
背景部２２は、正面を向いて撮影を行っている利用者の背面側に位置する板状の部材である背面パネル５１、背面パネル５１の右端に取り付けられ、側面パネル４１Ａより横幅の狭い板状の部材である側面パネル５２Ａ、および、背面パネル５１の左端に取り付けられ、側面パネル４１Ｂより横幅の狭い板状の部材である側面パネル５２Ｂ（図３）から構成される。
【００３５】
撮影部２１の右側面を構成する側面パネル４１Ａと背景部２２の側面パネル５２Ａは、ほぼ同一平面に設けられる。側面パネル４１Ａと側面パネル５２Ａは、上部が板状の部材である連結部２３Ａによって連結され、下部が、床面に設けた例えば金属製の部材である連結部２３Ａ’によって連結される。撮影部２１の左側面を構成する側面パネル４１Ｂと背景部２２の側面パネル５２Ｂも同様に、ほぼ同一平面に設けられ、上部において連結部２３Ｂによって連結され、下部において、連結部２３Ｂ’（図８）によって連結される。
【００３６】
撮影部２１の側面パネル４１Ａ、連結部２３Ａ、および背景部２２の側面パネル５２Ａに囲まれることによって形成される開口が撮影空間の出入り口となる。また、撮影部２１の側面パネル４１Ｂ、連結部２３Ｂ、および背景部２２の側面パネル５２Ｂに囲まれることによって形成される開口も撮影空間の出入り口となる。
【００３７】
背景部２２の上部には、背面パネル５１、側面パネル５２Ａ、および側面パネル５２Ｂに支持される形で背景カーテンユニット２５が設けられる。背景カーテンユニット２５には、撮影によって得られる撮影画像において利用者の背景に写る所定の色の背景カーテンが収納される。背景カーテンユニット２５は、撮影と連動して、適宜、撮影空間内に、例えば緑色のクロマキー用のカーテン（以下、クロマキー用カーテンという）を下ろす。背景カーテンユニット２５による背景カーテンの上げ下ろしは、例えば撮影コースに応じて行われる。
【００３８】
なお、クロマキー用カーテンを予め撮影空間の背面となる背面パネル５１に張り付けるようにしてもよい。クロマキー用カーテンを背景として撮影が行われる場合には、合成用の背景画像を複数種類用意し、撮影処理や編集処理においてクロマキー処理を行うことで、利用者が所望する背景画像をカーテンの部分に合成することができるようにする。
【００３９】
撮影空間の上方には、撮影部２１の正面、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて光を照射するストロボを内蔵する。天井ストロボユニット２４の内部には、ストロボの他に蛍光灯が設けられており、撮影空間の照明としても機能する。
【００４０】
編集ユニット１２は、撮影画像の編集処理を行う装置である。編集ユニット１２は、一方の側面が撮影部２１の背面に接するように撮影ユニット１１に連結して設けられる。
【００４１】
図１に一部が見える編集ユニット１２の構成を正面側の構成とすると、２組の利用者が同時に編集を行うことができるように、編集ユニット１２の正面側と背面側には編集に用いられる構成がそれぞれ設けられる。
【００４２】
編集ユニット１２の正面側は、床面に対して垂直な面であり、撮影部２１の側面パネル４１Ａとほぼ平行な面である面７１と、面７１の上方に形成された斜面７２から構成される。斜面７２には、編集作業に用いられる構成が設けられる。斜面７２の右側には、照明装置７４の一端を支持する柱状の支持部７３Ａが設けられる。斜面７２の左側にも、照明装置７４の他端を支持する柱状の支持部７３Ｂ（図２）が設けられる。支持部７３Ａの右側には、編集ユニット１２の側面を構成する板状のパネル７３Ｃが設けられる。パネル７３Ｃの上面にはカーテンレール２６を支持する支持部７５が設けられる。
【００４３】
編集ユニット１２の上方にはカーテンレール２６が取り付けられる。カーテンレール２６は、３本のレール２６Ａ乃至２６Ｃを、上から見たときの形状がコの字状となるように組み合わせることによって構成される。平行に設けられるレール２６Ａと２６Ｂの一端は、連結部２３Ａと連結部２３Ｂにそれぞれ固定され、他端にレール２６Ｃの両端が接合される。
【００４４】
カーテンレール２６には、編集ユニット１２の正面前方の空間と背面前方の空間の内部が外から見えないようにカーテンが取り付けられる。カーテンレール２６に取り付けられたカーテンにより囲まれる編集ユニット１２の正面前方の空間と背面前方の空間が、利用者が撮影画像の編集を行う編集空間となる。
【００４５】
図２は、写真シール作成装置１の他の斜視図である。
【００４６】
後に詳述するが、編集ユニット１２の右側面には、タブレット内蔵モニタや印刷済みのシール紙が排出される排出口などが設けられる。編集ユニット１２の側面に設けられるタブレット内蔵モニタは、画像の印刷が終わるのを待っている利用者が事後接客機能を利用するときに用いられる。事後接客機能には、撮影画像や編集画像をサーバに送信する機能、ミニゲームの機能などが含まれる。編集ユニット１２の右側面前方の空間が、利用者が事後接客機能を利用する事後接客空間となる。
【００４７】
ここで、写真シール作成ゲームの流れと、それに伴う利用者の移動について説明する。図３は、写真シール作成装置１を上から見た平面図である。
【００４８】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影を行う。出入り口Ｇ１は側面パネル４１Ａと側面パネル５２Ａの間の開口であり、出入り口Ｇ２は側面パネル４１Ｂと側面パネル５２Ｂの間の開口である。
【００４９】
撮影を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５０】
編集空間Ａ２−１は、編集ユニット１２の正面側の編集空間であり、編集空間Ａ２−２は、編集ユニット１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方が移動先として案内される。編集空間Ａ２−１または編集空間Ａ２−２に移動した利用者は撮影画像の編集を開始する。編集空間Ａ２−１の利用者と、編集空間Ａ２−２の利用者は同時に編集を行うことができる。
【００５１】
編集が終了した後、撮影画像や編集画像の印刷が開始される。画像の印刷中、編集空間Ａ２−１での編集を終えた利用者は、白抜き矢印＃５で示すように編集空間Ａ２−１から事後接客空間Ａ３に移動して事後接客機能を利用する。また、編集空間Ａ２−２での編集を終えた利用者は、白抜き矢印＃６で示すように編集空間Ａ２−２から事後接客空間Ａ３に移動して事後接客機能を利用する。
【００５２】
画像の印刷が終了したとき、利用者は、編集ユニット１２の右側面に設けられた排出口からシール紙を受け取り、一連の写真シール作成ゲームを終えることになる。
【００５３】
次に、各装置の構成について説明する。
【００５４】
［撮影部の構成］
図４は、撮影部２１の正面の構成例を示す図である。撮影部２１は、側面パネル４１Ａ、側面パネル４１Ｂ、および正面パネル４２が、箱状の形状を有するベース部４３に取り付けられることによって構成される。
【００５５】
正面パネル４２の中央には、上底：下底の比を略１：５とし、下底の長さが正面パネル４２の横幅と同じ長さの等脚台形を上下逆様にした面を有する凸部８１が形成される。凸部８１のほぼ中央にはカメラユニット９１が設けられ、カメラユニット９１の下にタッチパネルモニタ９２が設けられる。カメラユニット９１は、カメラ１０１と正面ストロボ１０２から構成される。
【００５６】
カメラ１０１は、例えば一眼レフカメラであり、レンズが露出するようにカメラユニット９１の内部に取り付けられる。カメラ１０１はCCD(Charge Coupled Device)などの撮像素子を有し、撮影空間Ａ１にいる利用者を撮影する。カメラ１０１により取り込まれた動画像はタッチパネルモニタ９２にリアルタイムで表示される。利用者により撮影が指示されたときなどの所定のタイミングでカメラ１０１により取り込まれた静止画は撮影画像として保存される。
【００５７】
カメラ１０１の上に設けられた正面ストロボ１０２は、乳白アクリル板よりなる横長長方形の発光面を有する。正面ストロボ１０２は、カメラ１０１による撮影に合わせて発光することで、被写体としての利用者の顔付近を正面から照射する。
【００５８】
なお、正面ストロボ１０２の発光面として設けられる乳白アクリル板としては、透明度の高いものが用いられる。これにより、正面ストロボ１０２の発光による光の拡散度合いを、乳白アクリル板として透明度の低いものを用いた場合と比べて抑えることができ、利用者に対してより多くの光を照射することができる。
【００５９】
カメラユニット９１の下に設けられたタッチパネルモニタ９２は、LCD(Liquid Crystal Display)などのモニタと、それに積層されたタッチパネルにより構成される。タッチパネルモニタ９２は、カメラ１０１により取り込まれた動画像を表示するライブビューモニタとしての機能と、各種のGUI(Graphical User Interface)を表示し、利用者の選択操作を受け付ける機能を備えている。タッチパネルモニタ９２には、カメラ１０１により取り込まれた動画像（ライブビュー）や撮影画像が表示される。
【００６０】
カメラユニット９１の上方には、曲面の発光面を利用者に向けた上ストロボ１１１が設置される。上ストロボ１１１は、カメラ１０１による撮影に合わせて発光することで、上方から利用者を照射する。
【００６１】
ベース部４３の中央には利用者の下半身および足元を照射する足元ストロボ１１２が設けられ、足元ストロボ１１２の垂直面の右側には、利用者が硬貨を入れる硬貨投入返却口１１４が設けられる。
【００６２】
ベース部４３の上面には、足元ストロボ１１２の上面を挟んでスペース１１３Ａ，１１３Ｂが左右に形成される。スペース１１３Ａ，１１３Ｂは、撮影を行う利用者が手荷物等を置くための荷物置き場として用いられる。正面パネル４２の例えば天井付近には、撮影処理の案内音声、BGM(Back Ground Music)、効果音等の音を出力するスピーカも設けられる。
【００６３】
［背景部の構成］
図５は、背景部２２の撮影空間Ａ１側の構成例を示す図である。
【００６４】
上述したように、背面パネル５１の上方には背景カーテンユニット２５が設けられる。
【００６５】
背面パネル５１の、出入り口Ｇ１側（図中、左側）の上方には、撮影空間Ａ１内で撮影処理を行っている利用者を右後方から照射する背面右ストロボ１２１が取り付けられる。また、背面パネル５１の、出入り口Ｇ２側（図中、右側）の上方には、撮影空間Ａ１内で撮影処理を行っている利用者を左後方から照射する背面左ストロボ１２２が取り付けられる。
【００６６】
さらに、背面パネル５１の撮影空間Ａ１側（図中、手前側）の面には、背面カーテン１２３が張り付けられる。背面カーテン１２３の色は、ファッション雑誌等のモデルの撮影が行われるスタジオ等と同様に、白色系の色とされる。これにより、撮影によって得られる撮影画像において、被写体の背景に影がつきやすくなり、立体感が強調されるようになる。ここで、白色系の色には、白色はもちろん、白色に近い色（具体的には、白色に近いグレーや、白色に近い青みがかったグレーなどといった色）も含まれるものとする。
【００６７】
本発明の写真シール作成装置１による写真シール作成ゲームにおいては、後述するように、クロマキー処理を施すための撮影（クロマキー撮影）と、クロマキー処理を施さない撮影とが行われるので、背面カーテン１２３の色とクロマキー用カーテンの色とを異なる色にすることで、それぞれの目的にあった撮影を行うことができる。
【００６８】
［編集ユニットの構成］
図６は、編集ユニット１２の正面側（編集空間Ａ２−１側）の構成例を示す図である。
【００６９】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７０】
タブレット内蔵モニタ１３１は、タッチペン１３２Ａまたはタッチペン１３２Ｂを用いて操作入力が可能なタブレットがLCDなどのモニタに重畳して設けられることによって構成される。タブレット内蔵モニタ１３１には例えば編集画面が表示される。編集画面は撮影画像の編集に用いられる画面である。２人で同時に編集作業を行う場合、タッチペン１３２Ａはタブレット内蔵モニタ１３１に向かって左側にいる利用者により用いられ、タッチペン１３２Ｂはタブレット内蔵モニタ１３１に向かって右側にいる利用者により用いられる。
【００７１】
図７、図８は、編集ユニット１２の右側面の構成例を示す図である。
【００７２】
編集ユニット１２の右側面にはタブレット内蔵モニタ１６１が設けられる。タブレット内蔵モニタ１６１には、事後接客機能を利用するときに用いられる画面が表示される。
【００７３】
タブレット内蔵モニタ１６１の下にはシール紙排出口１６２が設けられる。編集ユニット１２の内部にはプリンタが設けられており、編集空間Ａ２−１の利用者が写る画像、または、編集空間Ａ２−２の利用者が写る画像が所定のレイアウトでシール紙に印刷され、シール紙排出口１６２から排出される。シール紙排出口１６２の下には、事後接客機能の案内音声、BGM、効果音等などを出力するスピーカ１６３が設けられる。
【００７４】
［写真シール作成装置の内部構成］
図９は、写真シール作成装置１の内部の構成例を示すブロック図である。上述した構成と同じ構成には同じ符号を付してある。重複する説明については適宜省略する。
【００７５】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９Ａ、編集部２０９Ｂ、および事後接客部２１０の各構成も接続される。
【００７６】
記憶部２０２は、ハードディスクやフラッシュメモリなどの不揮発性の記憶媒体からなり、制御部２０１から供給された各種の設定情報等を記憶する。記憶部２０２に記憶されている情報は制御部２０１により適宜読み出される。
【００７７】
通信部２０３は、インターネットなどのネットワークのインタフェースであり、制御部２０１による制御に従って外部の装置と通信を行う。通信部２０３は、例えば撮影画像や編集画像をサーバに送信する。通信部２０３から送信された画像は、サーバにおいて所定のURLの記憶領域が割り当てられて保存され、アクセスしてきた携帯端末のディスプレイに表示される。
【００７８】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００７９】
ROM２０６には、制御部２０１において実行されるプログラムやデータが記憶されている。RAM２０７は、制御部２０１が処理するデータやプログラムを一時的に記憶する。
【００８０】
撮影部２０８は、撮影空間Ａ１にいる利用者を対象とした撮影処理を行う。撮影部２０８は、硬貨処理部２２１、背景制御部２２２、照明装置２２３、カメラ１０１、タッチパネルモニタ９２、およびスピーカ２２４から構成される。
【００８１】
硬貨処理部２２１は、硬貨投入返却口１１４に対する硬貨の投入を検出する。硬貨処理部２２１は、例えば４００円などの所定の金額分の硬貨が投入されたことを検出した場合、そのことを表す起動信号を制御部２０１に出力する。
【００８２】
背景制御部２２２は、制御部２０１から供給される背景制御信号に従って背景カーテンユニット２５による背景カーテン（クロマキー用カーテン）の上げ下ろしを制御する。
【００８３】
照明装置２２３は、撮影空間Ａ１内の各ストロボであり、制御部２０１から供給される照明制御信号に従って発光する。撮影空間Ａ１には、天井ストロボユニット２４のストロボの他に、撮影部２１の正面ストロボ１０２、上ストロボ１１１、足元ストロボ１１２、背景部２２の背面右ストロボ１２１、背面左ストロボ１２２が設けられる。
【００８４】
カメラ１０１は、制御部２０１による制御に従って撮影を行い、撮影によって得られた画像を制御部２０１に出力する。
【００８５】
編集部２０９Ａは、編集空間Ａ２−１にいる利用者を対象とした編集処理を行う。編集部２０９Ａは、タブレット内蔵モニタ１３１、タッチペン１３２Ａ，１３２Ｂ、およびスピーカ２３１から構成される。編集部２０９Ｂは、編集部２０９Ａと同一の構成を有しており、編集空間Ａ２−２にいる利用者を対象とした編集処理を行う。
【００８６】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００８７】
事後接客部２１０は、事後接客空間Ａ３にいる利用者を対象とした事後接客処理を行う。事後接客処理は、事後接客機能を利用者に提供する処理である。事後接客部２１０は、タブレット内蔵モニタ１６１、スピーカ１６３、およびプリンタ２４１から構成される。プリンタ２４１にはシール紙ユニット２４２が装着される。
【００８８】
プリンタ２４１は、制御部２０１から供給された印刷データに基づいて、撮影画像や編集画像をシール紙ユニット２４２に収納されているシール紙に印刷し、シール紙排出口１６２に排出する。
【００８９】
［制御部の構成］
図１０は、制御部２０１の機能構成例を示すブロック図である。図１０に示す機能部のうちの少なくとも一部は、制御部２０１内のCPUにより所定のプログラムが実行されることによって実現される。
【００９０】
制御部２０１においては、撮影処理部３０１、編集処理部３０２、印刷処理部３０３、および事後接客処理部３０４が実現される。
【００９１】
撮影処理部３０１は、撮影部２０８の各部を制御し、写真シール作成装置１を利用する際に投入される代金に関する処理を含む事前接客処理や撮影処理を行う。編集処理部３０２は、編集部２０９Ａ、編集部２０９Ｂの各部を制御し、編集処理を行う。印刷処理部３０３は、事後接客部２１０のプリンタ２４１を制御し、印刷処理を行う。事後接客処理部３０４は、事後接客部２１０のタブレット内蔵モニタ１６１を制御するなどして事後接客処理を行う。
【００９２】
［編集処理部の構成例］
図１１は、編集処理部３０２の機能構成例を示すブロック図である。写真シール作成装置１は、編集処理部３０２の動作により、画像編集装置として機能する。
【００９３】
編集処理部３０２は、編集処理を行うことで、撮影処理により得られた撮影画像を編集対象画像として利用者に選択させ、選択された編集対象画像に合成する合成用画像を利用者に選択させ、選択された合成用画像を編集対象画像に合成し、得られた合成画像を編集済み画像として出力する。
【００９４】
ここで、合成用画像には、利用者による描画入力の描画軌跡に対応して合成される線からなる画像であるペン画像、撮影画像の任意の位置に合成される図形や文字等の画像であるスタンプ画像、撮影画像の予め定められた位置に合成される図柄や模様等の画像であるフレーム画像が含まれる。すなわち、編集処理部３０２は、利用者による編集入力に基づいて、撮影画像に対してペン画像やスタンプ画像、フレーム画像を合成することで、合成画像を生成する。これらの合成用画像は、記憶部２０２に記憶されている。なお、以下においては、これらの合成用画像を、適宜、編集ツールともいう。
【００９５】
また、編集処理部３０２は、編集処理において、利用者の指示に応じて、所定の撮影画像から、携帯端末の待ち受け画像や、ブログやメール等のテキストデータに添付される装飾画像等の携帯端末で利用される画像（以下、ケータイおまけという）を作成し、得られたケータイおまけを、携帯送信用画像として出力するケータイおまけ作成機能を有する。
【００９６】
編集処理部３０２は、表示制御部３１１、入力受付部３１２、合成処理部３１３、および加工処理部３１４から構成される。
【００９７】
表示制御部３１１は、編集部２０９Ａ，２０９Ｂにおけるタブレット内蔵モニタ１３１の表示を制御する。例えば、表示制御部３１１は、撮影画像を、編集入力の対象となる編集対象画像として、タブレット内蔵モニタ１３１に表示される編集画面の所定の領域に表示させるとともに、編集画面において、編集対象画像に合成される複数の合成用画像を、後述する編集用パレットに表示させる。
【００９８】
入力受付部３１２は、タブレット内蔵モニタ１３１に対する、利用者によるタッチペン１３２Ａ，１３２Ｂを用いた操作入力を受け付ける。例えば、入力受付部３１２は、編集用パレットから、編集対象画像に合成される合成用画像の選択を受け付ける。
【００９９】
合成処理部３１３は、編集用パレットから、利用者によって選択された合成用画像を編集対象画像に合成する合成処理を行う。
【０１００】
加工処理部３１４は、ケータイおまけ作成時に、利用者の指示に応じて、所定の撮影画像に、各種の加工処理を施す。
【０１０１】
また、表示制御部３１１は、加工見本画像表示制御部３２１、加工結果表示制御部３２２、および背景選択画面表示制御部３２３を有する。
【０１０２】
加工見本画像表示制御部３２１は、ケータイおまけ作成時に、所定の撮影画像に施される加工処理に対応する複数の加工見本画像からなる加工見本画像群を、その加工処理の種類毎に表示させる。加工見本画像群を構成する加工見本画像は、画像処理を施した加工結果の見本であり、加工処理の内容を利用者に提示するための画像とされる。
【０１０３】
ここで、加工見本画像のいずれか１つが選択されると、入力受付部３１２は、その１つの加工見本画像の選択を受け付け、加工処理部３１４は、選択が受け付けられた加工見本画像に施されている加工処理を、撮影画像に施す。
【０１０４】
そして、加工結果表示制御部３２２は、その加工処理が施された撮影画像を、画面上に設けられる加工結果表示領域に表示させる。
【０１０５】
また、背景選択画面表示制御部３２３は、ケータイおまけ作成時に、利用者の指示に応じて、ケータイおまけ（撮影画像）の背景領域に合成される背景画像を選択させるための背景選択画面を表示させる。
【０１０６】
［写真シール作成装置の動作］
次に、写真シール作成装置１の動作について説明する。
【０１０７】
はじめに、図１２のフローチャートを参照して、写真シール作成ゲームを提供する写真シール作成装置１の処理について説明する。
【０１０８】
ステップＳ１において、写真シール作成装置１の撮影処理部３０１は、所定の金額分の硬貨が投入されたか否かを硬貨処理部２２１から供給される信号に基づいて判定し、投入されたと判定するまで待機する。このとき、撮影処理部３０１は、撮影空間Ａ１にいる利用者に対して、写真シール作成ゲームのイメージ動画やガイダンスを流す事前接客処理を行うようにしてもよい。事前接客処理は、タッチパネルモニタ９２に画像を表示させることによって、または音声をスピーカ２２４から出力させることによって行われる。
【０１０９】
硬貨が投入されたとステップＳ１において判定された場合、ステップＳ２において、撮影処理部３０１は撮影処理を行う。撮影処理においては、撮影空間Ａ１にいる利用者を被写体として撮影が行われる。
【０１１０】
撮影処理の詳細な説明は省略するが、撮影処理においては、利用者に選択された撮影コースに応じた撮影が行われる。撮影コースとしては、利用者をかわいくきれいに写すためのbeautyコースと、利用者をよりおしゃれに写すためのedgyコースとが用意されている。
【０１１１】
撮影コースとして、beautyコースが選択された場合、撮影処理部３０１は、背景カーテンユニット２５にクロマキー用カーテンを下ろさせて、撮影画像にクロマキー処理を施すためのクロマキー撮影を行い、edgyコースが選択された場合、撮影処理部３０１は、背景カーテンユニット２５にクロマキー用カーテンを下ろさせず上げた状態のまま、クロマキー処理を施すことを前提としない撮影を行う。
【０１１２】
ステップＳ３において、撮影処理部３０１は、撮影空間Ａ１にいる利用者に対して、編集空間Ａ２−１または編集空間Ａ２−２への移動を案内する。編集空間Ａ２−１または編集空間Ａ２−２への移動の案内は、タッチパネルモニタ９２に画像を表示させることによって、または音声をスピーカ２２４から出力させることによって行われる。
【０１１３】
ステップＳ４において、編集処理部３０２は、編集空間Ａ２−１と編集空間Ａ２−２のうち、撮影処理を終えた利用者の移動先とした方の編集空間に対応する編集部２０９Ａまたは編集部２０９Ｂを制御して編集処理を行う。編集処理の詳細については、図１３のフローチャートを参照して後述する。
【０１１４】
ステップＳ５において、編集処理部３０２は、編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１１５】
ステップＳ６において、印刷処理部３０３は印刷処理を行う。印刷処理により、撮影画像や編集画像が、利用者により選択されたレイアウトに従ってシール紙に印刷される。
【０１１６】
ステップＳ７において、事後接客処理部３０４は、印刷が終わるのを待っている利用者に対する事後接客処理を行う。事後接客処理部３０４は、撮影画像や編集画像を携帯端末に送信する処理などを事後接客処理として行う。
【０１１７】
印刷が終了した場合、ステップＳ８において、事後接客処理部３０４は、画像が印刷されたシール紙をシール紙排出口１６２から排出させ、処理を終了する。
【０１１８】
［編集処理の詳細］
次に、図１３のフローチャートを参照して、図１２のステップＳ４において行われる編集処理の詳細について説明する。
【０１１９】
ステップＳ５１において、編集処理部３０２の表示制御部３１１は、プロフ（プロフィール）入力画面をタブレット内蔵モニタ１３１に表示させる。プロフ入力画面には、利用者に対する質問を表す文章（例えば、「今日は誰と撮った？」や「今日は何をするの？」など）と、その質問に対する回答の候補（選択肢）とが表示される。
【０１２０】
ステップＳ５２において、表示制御部３１１は、おなまえ入力画面をタブレット内蔵モニタ１３１に表示させる。おなまえ入力画面には、利用者それぞれの名前を入力させるためのキーやボタン等が表示される。
【０１２１】
ステップＳ５３において、編集処理部３０２は、撮影処理において、beautyコースによって撮影が行われたか否かを判定する。
【０１２２】
ステップＳ５３において、beautyコースによって撮影が行われたと判定された場合、ステップＳ５４において、表示制御部３１１は、背景選択画面をタブレット内蔵モニタ１３１に表示させる。背景選択画面には、背景の色の選択を促すメッセージとともに、各種の色や柄の画像が背景画像として複数表示される。
【０１２３】
背景画像は、撮影画像に写る利用者の背景として用いられる画像である。上述したように、beautyコースによる撮影はクロマキー用カーテンを下ろした状態で行われる。beautyコースによる撮影処理が行われた後の編集処理においては、クロマキー処理によって利用者の背景に背景画像が合成された撮影画像が編集対象の画像として用いられる。
【０１２４】
なお、ここでは、撮影画像の枚数分、例えば５枚の背景画像が利用者によって選択される。また、背景画像として、所定のテーマに沿った背景画像が５枚セットになったセット背景が表示され、選択されるようにしてもよい。
【０１２５】
ステップＳ５５において、合成処理部３１３は、記憶部２０２から、例えば５枚の撮影画像を読み出し、それぞれの撮影画像と背景画像とを合成する。すなわち、合成処理部３１３は、撮影画像において、利用者の背景領域を抽出し、抽出した領域に背景画像を合成するクロマキー処理を、各撮影画像を対象として行う。
【０１２６】
一方、ステップＳ５３において、beautyコースによって撮影が行われなかった、すなわち、edgyコースによって撮影が行われたと判定された場合、ステップＳ５４，Ｓ５５の処理はスキップされる。
【０１２７】
ステップＳ５６において、表示制御部３１１は、編集画面をタブレット内蔵モニタ１３１に表示させる。編集画面には、背景画像が合成された撮影画像、または記憶部２０２から読み出された撮影画像が表示される。
【０１２８】
図１４は、編集画面の例を示す図である。
【０１２９】
編集画面は、基本的に、主な構成が左右対象に設けられることによって構成される。左半分の領域である領域４０２Ｌは、タブレット内蔵モニタ１３１に向かって左側にいる利用者により用いられる領域であり、右半分の領域である領域４０２Ｒは、タブレット内蔵モニタ１３１に向かって右側にいる利用者により用いられる領域である。中央の領域４０１には編集処理の残り時間等が表示される。なお、図１４の各領域を囲む破線は画面に実際に表示されるものではない。
【０１３０】
領域４０２Ｌの中央上方のサムネイル画像表示領域４１１Ｌは、撮影画像を表すサムネイル画像の表示領域である。利用者（タブレット内蔵モニタ１３１に向かって左側にいる利用者）は、サムネイル画像表示領域４１１Ｌに表示されているサムネイル画像を選択することによって、編集対象とする撮影画像を選択することができる。
【０１３１】
図１４の例においては、５枚の撮影画像を表すサムネイル画像Ｐ１乃至Ｐ５が撮影順に並べてサムネイル画像表示領域４１１Ｌに表示され、左端のサムネイル画像Ｐ１が選択されることによって、１枚目の撮影画像が編集対象とされている。
【０１３２】
領域４０２Ｌの略中央に形成された比較的大きな編集領域４１２Ｌは、編集対象として選択された撮影画像の表示領域である。図１４の例においては、サムネイル画像表示領域４１１Ｌからサムネイル画像Ｐ１が選択されることによって、１枚目の撮影画像が表示されている。利用者は、タッチペン１３２Ａを用いて編集ツールを選択し、編集領域４１２Ｌに表示された撮影画像の編集を行うことができる。
【０１３３】
編集領域４１２Ｌの左側のペンパレット表示領域４１３Ｌは、手書き入力に用いられるペン画像の選択に用いられるペンパレットの表示領域である。ペンパレット表示領域４１３Ｌには、ペン画像の線の種類、太さ、色の選択に用いられるボタンが複数表示される。ペンパレット表示領域４１３Ｌのペンパレットは、編集画面が表示されている間、常時表示される。
【０１３４】
編集領域４１２Ｌの下の編集用パレット表示領域４１４Ｌは、スタンプ画像等の各種の編集ツール（合成用画像）の選択に用いられる編集用パレットの表示領域である。編集用パレットに表示される合成用画像は「PROF-select」、「ROUGH-design」、「HIGH-design」のカテゴリ毎に分かれており、それぞれのカテゴリ名が付されたタブを選択することによって、編集用パレット表示領域４１４Ｌに表示させる合成用画像を切り替えることができるようになされている。
【０１３５】
図１４の例においては、「ROUGH-design」タブが選択され、「ROUGH-design」のカテゴリに属する合成用画像の選択ボタンが表示されている。
【０１３６】
領域４０１の一発落書きボタン４１５Ｌは、一発落書きを行うときに操作されるボタンである。一発落書きとは、編集作業（落書き）に慣れていない利用者や、編集作業を簡単に済ませたい利用者に、予め設定された内容の編集作業を、１回の操作で行わせる機能である。一発落書きボタン４１５Ｌが操作されることにより、予め決められた複数の合成用画像が一括して撮影画像に合成されるようになる。
【０１３７】
編集用パレット表示領域４１４Ｌの右側には、サーバを介して、携帯電話機等の携帯端末に送信される画像（ケータイおまけ）の編集を行うときに操作されるケータイおまけボタン４１６Ｌが表示される。縦長長方形のケータイおまけボタン４１６Ｌには、「MOBILE  ケータイおまけ」の文字と携帯電話機（スマートフォン）の外観の画像が表示されるとともに、スマートフォンの外観の画像に重ねて「PUSH」の文字が表示される。ケータイおまけボタン４１６Ｌに外観の画像が表示されているスマートフォンのディスプレイには、利用者が写る撮影画像が嵌め込まれている。
【０１３８】
ケータイおまけボタン４１６Ｌが操作されると、ケータイおまけの作成を行うことができる。
【０１３９】
タブレット内蔵モニタ１３１に向かって右側にいる利用者が使う領域４０２Ｒには、以上のような領域４０２Ｌの構成と同じ構成が位置を対称にして配置される。図１４の例においては、サムネイル画像表示領域４１１Ｒからサムネイル画像Ｐ４を選択することによって、４枚目の撮影画像が編集対象とされている。
【０１４０】
図１３のフローチャートに戻り、ステップＳ５７において、合成処理部３１３は、利用者による編集入力に従って撮影画像の編集、すなわち、利用者によって選択された合成用画像の合成（貼り付け）を行う。
【０１４１】
ステップＳ５８において、編集処理部３０２は、編集終了か否かを判定し、編集終了ではないと判定した場合、ステップＳ５７に戻り、撮影画像の編集を続ける。撮影画像の編集は、終了ボタンが操作されるまで、または制限時間が経過するまで続けられる。
【０１４２】
一方、ステップＳ５８において、編集終了であると判定された場合、ステップＳ５９において、表示制御部３１１は、分割数選択画面をタブレット内蔵モニタ１３１に表示させる。分割数選択画面には、最終的に出力されるシール紙における、編集済み画像の配置を決定するためのシールレイアウトが表示される。
【０１４３】
分割数選択画面から所定のシールレイアウトが選択されると、ステップＳ６０において、編集処理部３０２は、利用者により選択されたシールレイアウトのシール紙イメージを、記憶部２０２に記憶させる。その後、図１２のステップＳ４に戻り、それ以降の処理が行われる。
【０１４４】
［ケータイおまけ作成処理の詳細］
次に、図１５のフローチャートを参照して、図１４の例において、ケータイおまけボタン４１６Ｌ（または４１６Ｒ）が操作された場合に実行されるケータイおまけ作成処理について説明する。以下においては、ケータイおまけボタン４１６Ｌが操作された場合の処理について説明する。
【０１４５】
ケータイおまけボタン４１６Ｌが操作されると、ステップＳ１０１において、表示制御部３１１は、編集画面の左半分の領域となる領域４０２Ｌに、切り取り画面を表示させる。切り取り画面は、ケータイおまけとなる撮影画像を選択させたり、選択された撮影画像において切り取る領域（トリミング領域）を選択させる画面である。
【０１４６】
図１６は、切り取り画面の例を示す図である。
【０１４７】
切り取り画面の上部の形状選択領域５１１は、後述する切り取り枠５１３Ａの形状を、例えば、「ヨコ」、「正方形」、「タテ」、「ワイド」の４種類の形状の中から選択させるための領域である。形状選択領域５１１において、「ヨコ」の形状が選択されると、切り取り枠５１３Ａは横長の矩形形状となり、「正方形」の形状が選択されると、切り取り枠５１３Ａは正方形の形状となる。また、「タテ」の形状が選択されると、切り取り枠５１３Ａは縦長の矩形形状となり、「ワイド」の形状が選択されると、切り取り枠５１３Ａは、「タテ」よりも縦長の矩形形状となる。
【０１４８】
形状選択領域５１１の下側に形成された画像選択領域５１２は、編集対象となる例えば５枚の撮影画像のサムネイル画像が表示される領域である。画像選択領域５１２から選択された撮影画像が、ケータイおまけの編集対象画像として、画像選択領域５１２の下の編集対象画像表示部５１３に拡大して表示される。
【０１４９】
編集対象画像表示部５１３に表示された編集対象画像には、形状選択領域５１１において選択された形状の切り取り枠５１３Ａが重ねて表示される。切り取り枠５１３Ａは、ある一定の大きさで表示され、利用者が、タッチペン１３２Ａを用いて、切り取り枠５１３Ａの四隅に表示される矢印形のアイコンのいずれかを、切り取り枠５１３Ａの外側に向けてドラッグすることにより、縦横比をそのままに切り取り枠５１３Ａが拡大される。また、切り取り枠５１３Ａが拡大された状態で、利用者が、タッチペン１３２Ａを用いて、切り取り枠５１３Ａの四隅に表示される矢印形のアイコンのいずれかを、切り取り枠５１３Ａの内側に向けてドラッグすることにより、縦横比をそのままに切り取り枠５１３Ａが縮小される。さらに、利用者が、タッチペン１３２Ａを用いて、切り取り枠５１３Ａの中央に表示される手の形のアイコン、または切り取り枠５１３Ａの四辺のいずれかを所定の方向へドラッグすることにより、切り取り枠５１３Ａがその方向へ移動される。
【０１５０】
上述した切り取り画面において、切り取り枠５１３Ａの形状が選択されると、ステップＳ１０２において、入力受付部３１２は、切り取り枠の選択を受け付ける。このとき、編集対象画像における切り取り枠５１３Ａ内の領域が切り取り画像表示部５１４に表示される。切り取り画像表示部５１４は、携帯電話機（スマートフォン）の外観を表す画像のうちのディスプレイの部分に形成されている。切り取り枠５１３Ａの大きさと形状が選択され、決定ボタン５１５が操作されたとき、編集対象画像における切り取り枠５１３Ａ内の領域が編集処理部３０２により切り出される。なお、以下においては、切り取り枠５１３Ａによって切り出される領域は、編集対象画像全体、すなわち画像選択領域５１２において選択された撮影画像そのものであるものとして説明する。
【０１５１】
なお、決定ボタン５１５の右側に表示される、やめるボタン５１６が操作されると、切り取り画面は閉じられ、ケータイおまけ作成処理は終了する。
【０１５２】
ステップＳ１０３において、編集処理部３０２は、撮影処理において、beautyコースによって撮影が行われたか否かを判定する。
【０１５３】
ステップＳ１０３において、beautyコースによって撮影が行われたと判定された場合、処理はステップＳ１０４に進み、表示制御部３１１は、加工画面を表示させる。加工画面は、ケータイおまけの編集対象画像に、各種の加工処理を施すための画面である。
【０１５４】
図１７は、加工画面の例を示す図である。
【０１５５】
加工画面上方の加工見本画像表示領域５２１には、加工処理として、画像の一部または全体の色情報（トーンカーブ、輝度値、コントラスト等）を変更する色情報変更処理を施した加工結果の見本となる６枚の加工見本画像が、加工見本画像群として、左右１列に配列されて表示される。この色情報変更処理によれば、画像全体の雰囲気を変えることが可能となる。加工見本画像表示領域５２１に表示される加工見本画像には、それぞれ異なる色情報が設定されることで、異なるバリエーションの色情報変更処理が施されている。
【０１５６】
このように、加工見本画像表示領域５２１には、編集対象画像に異なるバリエーションの色情報変更処理を施した場合の加工結果の見本が、加工見本画像として表示されるので、利用者は、加工処理後の仕上がりを簡単にイメージすることができる。
【０１５７】
図１７の例では、加工見本画像表示領域５２１に表示される加工見本画像として、編集対象画像に、それぞれ異なるバリエーションの色情報変更処理が施された画像が表示されているが、モデルが撮影されたモデル画像や白無地の白画像に対して、それぞれ異なるバリエーションの色情報変更処理が施された画像が表示されるようにしてもよい。
【０１５８】
また、色情報変更処理のバリエーションは、加工見本画像表示領域５２１に表示されている６パターンより多く用意されており、加工見本画像表示領域５２１の左右に設けられる移動ボタン５２１Ｌ，５２１Ｒが操作されることにより、加工見本画像表示領域５２１に左右方向に配列されて表示されている加工見本画像全体が左右にシフトすることで、他のパターンの色情報変更処理に対応する加工見本画像が表示されるようになる。
【０１５９】
なお、加工見本画像表示領域５２１の両端の加工見本画像を、タッチペン１３２Ａによってタップすることにより、その加工見本画像が加工見本画像表示領域５２１の内側にずれるように、加工見本画像表示領域５２１に表示されている加工見本画像全体がシフトするようにしてもよい。例えば、加工見本画像表示領域５２１の右端の加工見本画像が、タッチペン１３２Ａによってタップされると、その加工見本画像が左側に１つずれるように、加工見本画像表示領域５２１に表示されている加工見本画像全体が左側にシフトするようにする。
【０１６０】
さらに、加工見本画像表示領域５２１をタッチペン１３２Ａによって左右方向にフリック操作することにより、加工見本画像表示領域５２１に表示されている加工見本画像が、所定の演出を伴って表示される（具体的には、左右にスライド表示される）ようにしてもよい。
【０１６１】
なお、色情報変更処理のバリエーションのパターンや設定内容を、切り取り画面（図１６）において選択された切り取り枠５１３Ａの形状に応じて変えるようにしてもよい。これにより、バラエティに富んだ画像を提供することができるようになる。
【０１６２】
加工画面下方の加工見本画像表示領域５２２には、加工処理として、画像に所定の質感および／または色のレイヤ画像（前景画像）を重畳するテクスチャ変更処理を施した加工結果の見本となる６枚の加工見本画像が、加工見本画像群として、左右方向に１列に配列されて表示される。ここでいう質感とは、例えば明るさや透明感といった、画像の表面の視覚的な感じを表す。このテクスチャ変更処理によれば、画像全体の印象を変えることが可能となる。加工見本画像表示領域５２２に表示される加工見本画像には、それぞれ異なる質感や色が設定されることで、異なるバリエーションのテクスチャ変更処理が施されている。
【０１６３】
このように、加工見本画像表示領域５２２には、異なるバリエーションのテクスチャ変更処理を施した場合の加工結果の見本が、加工見本画像として表示されるので、利用者は、加工後の仕上がりを簡単にイメージすることができる。
【０１６４】
図１７の例では、加工見本画像表示領域５２２に表示される加工見本画像として、白無地の白画像に対して、それぞれ異なるバリエーションのテクスチャ変更処理が施された画像が表示されているが、編集対象画像やモデル画像に対して、それぞれ異なるバリエーションのテクスチャ変更処理が施された画像が表示されるようにしてもよい。こうすることで、利用者は、加工後の仕上がりをより具体的にイメージすることができる。
【０１６５】
また、テクスチャ変更処理のバリエーションは、加工見本画像表示領域５２２に表示されている６パターンより多く用意されており、加工見本画像表示領域５２２の両端の加工見本画像を、タッチペン１３２Ａによってタップすることにより、その加工見本画像が加工見本画像表示領域５２２の内側にずれるように、加工見本画像表示領域５２２に表示されている加工見本画像全体がシフトすることで、他のパターンのテクスチャ変更処理に対応する加工見本画像が表示されるようになる。例えば、加工見本画像表示領域５２２の右端の加工見本画像が、タッチペン１３２Ａによってタップされると、その加工見本画像が左側に１つずれるように、加工見本画像表示領域５２２に表示されている加工見本画像全体が左側にシフトする。
【０１６６】
また、加工見本画像表示領域５２１と同様に、加工見本画像表示領域５２２の左右に移動ボタンを設け、それらが操作されることにより、加工見本画像表示領域５２２に表示されている加工見本画像全体が左右にシフトするようにしてもよいし、加工見本画像表示領域５２１をタッチペン１３２Ａによって左右方向にフリック操作することにより、加工見本画像表示領域５２１に表示されている加工見本画像が、左右にスライド表示されるようにしてもよい。
【０１６７】
なお、テクスチャ変更処理のバリエーションのパターンや設定内容を、切り取り画面（図１６）において選択された切り取り枠５１３Ａの形状に応じて変えるようにしてもよい。これにより、バラエティに富んだ画像を提供することができるようになる。
【０１６８】
また、加工画面が最初に表示されたデフォルト状態では、加工見本画像表示領域５２１，５２２それぞれにおける最も左側の加工見本画像として、いずれの加工処理にも対応しない（いずれの加工処理も施されていない）非加工見本画像が表示されるものとし、これらが、選択アンカによって選択されているものとする。
【０１６９】
なお、加工見本画像表示領域５２１，５２２における加工見本画像の画角（縦横比）は、切り取り画面（図１６）の形状選択領域５１１において選択された切り取り枠５１３Ａの形状にかかわらず、撮影画像と同一の画角とされる。これにより、選択された切り取り枠５１３Ａの形状に応じて、加工見本画像の画角を変更させる必要がなくなる。したがって、加工見本画像表示領域５２１には、切り取り画面の画像選択領域５１２において選択された撮影画像に、それぞれ異なるバリエーションの色情報変更処理が施された画像が表示されるものとする。
【０１７０】
また、図１７の例では、加工見本画像表示領域５２１と加工見本画像表示領域５２２との間に、加工処理が施された編集対象画像を表示するための加工結果表示領域５２３が、加工画面上に１つのみ設けられる。加工結果表示領域５２３には、編集対象画像に、加工見本画像表示領域５２１および加工見本画像表示領域５２２において選択された加工見本画像に対応する加工処理が施された加工結果が、加工見本画像表示領域５２１や加工見本画像表示領域５２２に表示される加工見本画像と比べて大きく表示される。
【０１７１】
なお、加工結果表示領域５２３における編集対象画像の画角（縦横比）は、切り取り画面（図１６）の形状選択領域５１１において選択された切り取り枠５１３Ａの形状にかかわらず、撮影画像と同一の画角とされるようにしてもよいし、選択された切り取り枠５１３Ａの形状に応じた画角とされるようにしてもよい。
【０１７２】
さらに、加工見本画像表示領域５２２の下方中央には、加工結果表示領域５２３に表示されている加工結果を決定するための決定ボタン５２４が設けられ、加工見本画像表示領域５２２の下方左側には、表示されている加工画面の表示を、１つ前の画面（切り取り画面）に戻すためのもどるボタン５２５が設けられ、加工見本画像表示領域５２２の下方右側には、ケータイおまけ作成処理を終了するためのやめるボタン５２６が設けられる。
【０１７３】
なお、上述した加工見本画像表示領域５２１，５２２における加工見本画像の表示は、加工見本画像表示制御部３２１によって制御され、加工結果表示領域５２３における加工結果の表示は、加工結果表示制御部３２２によって制御される。
【０１７４】
利用者によって、加工見本画像表示領域５２１，５２２それぞれにおいて、加工見本画像のいずれかが選択されると、ステップＳ１０５において、入力受付部３１２は、その加工見本画像の選択を受け付け、加工処理部３１４は、選択が受け付けられた加工見本画像に対応する加工処理を、編集対象画像に施す。
【０１７５】
このとき、加工見本画像表示制御部３２１の制御によって、加工見本画像表示領域５２１，５２２それぞれにおいて選択された加工見本画像が明示される。具体的には、選択された加工見本画像に、選択アンカが重畳表示される。
【０１７６】
またこのとき、加工画面（図１７）の加工結果表示領域５２３には、加工結果表示制御部３２２の制御によって、加工見本画像表示領域５２１，５２２それぞれにおける加工見本画像の選択を受け付ける度に、選択された加工見本画像に対応する加工処理を、既に施された加工処理に重ねて施した編集対象画像が表示される。
【０１７７】
具体的には、加工結果表示領域５２３に表示される編集対象画像には、加工見本画像表示領域５２１において最後に（直近に）選択された加工見本画像に対応する加工処理が、また、加工見本画像表示領域５２２において最後に選択された加工見本画像に対応する加工処理が、それぞれ重ねて施される。加工見本画像表示領域５２１，５２２それぞれにおいて最後に選択された加工見本画像に対応する加工処理は、ケータイおまけ作成処理が終了されない限り、加工結果表示領域５２３に表示される編集対象画像に反映された状態となる。
【０１７８】
例えば、図１８において、まず、矢印＃１に示されるように、加工見本画像表示領域５２１において左から２番目の加工見本画像が選択されると、その加工見本画像に対応する色情報変更処理が施された編集対象画像が加工結果表示領域５２３に表示される。
【０１７９】
次に、矢印＃２に示されるように、加工見本画像表示領域５２２において左から３番目の加工見本画像が選択されると、その加工見本画像に対応するテクスチャ変更処理が、加工見本画像表示領域５２１において左から２番目の加工見本画像に対応する色情報変更処理に重ねて施された編集対象画像５２３Ａが加工結果表示領域５２３に表示される。
【０１８０】
さらに、図示はしないが、加工見本画像表示領域５２１において左から３番目の加工見本画像が選択された場合、編集対象画像５２３Ａにおいて、加工見本画像表示領域５２１において左から２番目の加工見本画像に対応する色情報変更処理に代えて、左から３番目の加工見本画像に対応する色情報変更処理が施された編集対象画像が加工結果表示領域５２３に表示される。
【０１８１】
また、図１８において、まず、矢印＃３に示されるように、加工見本画像表示領域５２２において最も右の加工見本画像が選択されると、その加工見本画像に対応するテクスチャ変更処理が施された編集対象画像が加工結果表示領域５２３に表示される。
【０１８２】
次に、矢印＃４に示されるように、加工見本画像表示領域５２１において左から４番目の加工見本画像が選択されると、その加工見本画像に対応する色情報変更処理が、加工見本画像表示領域５２２において最も右の加工見本画像に対応するテクスチャ変更処理に重ねて施された編集対象画像５２３Ｂが加工結果表示領域５２３に表示される。
【０１８３】
さらに、図示はしないが、加工見本画像表示領域５２１において左から３番目の加工見本画像が選択された場合、編集対象画像５２３Ｂにおいて、加工見本画像表示領域５２１において左から４番目の加工見本画像に対応する色情報変更処理に代えて、左から３番目の加工見本画像に対応する色情報変更処理が施された編集対象画像が加工結果表示領域５２３に表示される。
【０１８４】
このように、加工結果表示領域５２３には、加工見本画像の選択を受け付ける度に、選択された加工見本画像に対応する加工処理が反映された１枚の編集対象画像（撮影画像）のみが大きく表示されるので、利用者は、画像の加工内容を高い自由度で選択することができる上に、その加工内容を詳細に把握することができる。
【０１８５】
そして、この状態で、加工画面において決定ボタン５２４が操作されると、編集対象画像に対する加工処理が決定される。なお、このとき、利用者に選択された加工処理がこれでよいかを確認する旨のポップアップ画面を表示させ、利用者に対して再確認を促すようにしてもよい。
【０１８６】
編集対象画像に対する加工処理が決定されると、ステップＳ１０６において、編集処理部３０２は、全ての加工見本画像表示領域、すなわち、加工見本画像表示領域５２１，５２２それぞれにおいて、非加工見本画像が選択されたか否かを判定する。
【０１８７】
ステップＳ１０６において、非加工見本画像が選択されていないと判定された場合、決定ボタン５２４が操作されたときの加工結果が、ケータイおまけとして確定され、処理は終了する。
【０１８８】
一方、ステップＳ１０６において、非加工見本画像が選択されたと判定された場合、処理は、ステップＳ１０７に進み、背景選択画面表示制御部３２３は、背景選択画面を表示させる。背景選択画面は、編集対象画像の背景領域に合成される背景画像を選択させるための画面である。
【０１８９】
図１９は、背景選択画面の例を示す図である。
【０１９０】
背景選択画面の編集対象画像表示領域５３１には、編集対象画像が表示される。なお、図１９の例では、撮影画像から、形状が「ヨコ」の切り取り枠で切り取られた画像が表示されている。
【０１９１】
背景選択画面下方の編集用パレット５３２には、編集対象画像の枠を編集する枠ツールと、撮影画像の背景を編集する背景画像が設けられている。利用者は、編集用パレット５３２において、枠ツールや背景画像を選択することで、編集対象画像を編集することができる。
【０１９２】
編集対象画像表示領域５３１の下方左側には、編集対象画像表示領域５３１に表示されている編集対象画像の編集内容を決定するための決定ボタン５３３、および、表示されている背景選択画面の表示を、１つ前の画面（加工画面）に戻すためのもどるボタン５３４が設けられる。
【０１９３】
また、編集用パレット５３２の右側には、ケータイおまけ作成処理を終了するためのやめるボタン５３５が設けられる。
【０１９４】
このような背景選択画面において、編集用パレット５３２における背景画像が選択されると、ステップＳ１０８において、入力受付部３１２は、その背景画像の選択を受け付け、合成処理部３１３は、選択された背景画像を、編集対象画像表示領域５３１に表示されている編集対象画像の背景領域に合成する。
【０１９５】
そして、決定ボタン５３３が操作されると、そのときの編集結果が、ケータイおまけとして確定され、処理は終了する。
【０１９６】
このように、beautyコースによって撮影が行われた場合、クロマキー処理を施すためのクロマキー撮影が行われているため、撮影画像に背景画像を合成させることもできる。
【０１９７】
一方、ステップＳ１０３において、beautyコースによって撮影が行われなかったと判定された場合、すなわち、撮影処理において、edgyコースによって撮影が行われた場合、処理はステップＳ１０９に進む。
【０１９８】
ステップＳ１０９においては、ステップＳ１０４と同様にして、加工画面が表示され、ステップＳ１１０においては、ステップＳ１０５と同様にして、加工見本画像の選択が受け付けられる。
【０１９９】
なお、edgyコースによって撮影が行われた場合、クロマキー処理を施すことを前提としない撮影が行われているため、撮影画像に背景画像を合成させることはしない。したがって、ここで表示される加工画面において、加工見本画像表示領域５２１，５２２には、非加工見本画像は表示されず、背景選択画面は表示されないものとする。
【０２００】
なお、加工画面（図１７）において、ケータイおまけ作成処理の途中でやめるボタン５２６が操作され、編集画面において、再びケータイおまけボタン４１６Ｌ（または４１６Ｒ）が操作された場合、やめるボタン５２６が操作される前に、加工見本画像表示領域５２１，５２２において、どの加工見本画像が選択されていたとしても、再度表示される加工画面はデフォルト状態となる。
【０２０１】
以上の処理によれば、加工見本画像表示領域には、加工見本画像として、編集対象画像（撮影画像）に異なるバリエーションの加工処理を施した場合の加工結果の見本が表示され、加工結果表示領域には、加工見本画像の選択を受け付ける度に、選択された加工見本画像に対応する加工処理が反映された１枚の編集対象画像のみが大きく表示される。したがって、利用者に、加工内容を簡単かつ高い自由度で選択させるとともに、加工後の仕上がりを簡単にイメージさせることが可能となる。
【０２０２】
なお、以上においては、ケータイおまけボタン４１６Ｌが操作された例について説明したが、同時にケータイおまけボタン４１６Ｒが操作されることで、編集画面の左右それぞれで、ケータイおまけの作成を行うことができる。特に、撮影処理において、beautyコースによって撮影が行われた場合には、例えば、編集画面の左側で、複数種類の加工処理を編集対象画像に施すとともに、編集画面の右側で、背景画像を編集対象画像に合成させるといったこともできる。
【０２０３】
［ケータイおまけ作成処理の他の例］
次に、図２０のフローチャートを参照して、ケータイおまけ作成処理の他の例について説明する。
【０２０４】
なお、図２０のフローチャートにおけるステップＳ１３１乃至Ｓ１３３，Ｓ１３６乃至Ｓ１４１の処理は、図１５のフローチャートにおけるステップＳ１０１乃至Ｓ１０５，Ｓ１０７乃至Ｓ１１０の処理とそれぞれ同様であるので、その説明は省略する。
【０２０５】
すなわち、ステップＳ１３３において、beautyコースによって撮影が行われたと判定された場合、処理はステップＳ１３４に進み、表示制御部３１１は、作成コース選択画面を表示させる。作成コース選択画面は、ケータイおまけの作成において、上述した複数種類の加工処理を撮影画像に施すか否かを選択させるための画面である。
【０２０６】
図２１は、作成コース選択画面の例を示す図である。
【０２０７】
作成コース選択画面には、作成コースとして、加工処理を編集対象画像に施すことができる「加工アプリ風コース」を選択するためのコース選択ボタン５４１と、作成コースとして、通常の編集処理（背景画像の合成処理）を編集対象画像に施すことができる「通常コース」を選択するためのコース選択ボタン５４２とが設けられている。
【０２０８】
ステップＳ１３５において、編集処理部３０２は、加工アプリ風コースが選択されたか否かを判定する。ステップＳ１３５において、加工アプリ風コースが選択されたと判定された場合、すなわち、作成コース選択画面において、コース選択ボタン５４１が操作された場合、処理はステップＳ１３６に進み、図１７を参照して説明した加工画面が表示され、利用者によって、加工見本画像の選択および決定がなされる。なお、ここで表示される加工画面において、加工見本画像表示領域５２１，５２２には、非加工見本画像は表示されないものとする。
【０２０９】
一方、ステップＳ１３５において、加工アプリ風コースが選択されなかったと判定された場合、すなわち、作成コース選択画面において、コース選択ボタン５４２が操作された場合、処理はステップＳ１３８に進み、図１９を参照して説明した背景選択画面が表示され、利用者によって、背景画像の選択および決定がなされる。
【０２１０】
このとき、背景選択画面の編集用パレット５３２には、編集画面（図１４）における編集用パレット４１４Ｌ（４１４Ｒ）に表示される背景画像とは異なる背景画像が表示されるようにしてもよい。これにより、ケータイおまけを、オリジナリティのある画像に編集することができるようになる。
【０２１１】
さらに、背景選択画面の編集用パレット５３２に、背景画像に加え、加工画面の加工見本画像表示領域５２２に表示される加工見本画像（レイヤ画像）が、前景画像として表示されるようにしてもよい。そして、背景画像を、レイヤ画像の質感や色に対応させたものとすることで、背景画像とレイヤ画像とが合成された編集対象画像を、統一感のあるものとすることができるようになる。
【０２１２】
また、ステップＳ１３３において、beautyコースによって撮影が行われなかったと判定された場合、すなわち、撮影処理において、edgyコースによって撮影が行われた場合には、処理はステップＳ１４０に進み、図１７を参照して説明した加工画面が表示され、利用者によって、加工見本画像の選択および決定がなされる。
【０２１３】
なお、上述したように、edgyコースによって撮影が行われた場合には、クロマキー処理を施すことを前提とした撮影が行われているため、編集対象画像に背景画像を合成させることはしない。したがって、ここで表示される加工画面においても、加工見本画像表示領域５２１，５２２には、非加工見本画像は表示されず、背景選択画面は表示されないものとする。
【０２１４】
以上の処理においても、図１５のフローチャートを参照して説明したケータイおまけ作成処理と同様の作用、効果を奏することが可能となる。
【０２１５】
［変形例］
以上においては、図１７の加工画面において、加工見本画像表示領域５２２は、加工結果表示領域５２３の下方に表示されるものとしたが、図２２に示されるように、加工結果表示領域５２３の上方（加工見本画像表示領域５２１の下方）に表示されるようにしてもよい。
【０２１６】
これにより、利用者は、加工見本画像表示領域５２１および加工見本画像表示領域５２２それぞれに表示されている加工見本画像を、より近い視野の範囲で確認することができるようになり、より簡単に、所望の加工内容を選択することが可能となる。
【０２１７】
また、図１７の加工画面において、加工見本画像表示領域５２１に表示される加工見本画像は、移動ボタン５２１Ｌ，５２１Ｒが操作されることにより、加工見本画像表示領域５２１内を左右にシフトして表示されるものとしたが、例えば、図２３の加工画面のように、加工見本画像表示領域５５１に表示される加工見本画像として、全てのバリエーションの加工処理（色情報変更処理）に対応する加工見本画像が表示されるようにしてもよい。
【０２１８】
これにより、利用者は、より少ない操作でより簡単に、所望の加工内容を選択することが可能となる。
【０２１９】
さらに、以上においては、ケータイおまけ作成処理において施すことが可能な加工処理として、色情報変更処理とテクスチャ変更処理の２種類の加工処理を例に挙げて説明したが、例えば、２種類の加工処理のうちの１つを、トリミング処理（切り取り処理）とするようにしてもよい。
【０２２０】
例えば、加工画面において、色情報変更処理の見本となる加工見本画像表示領域５２１に代えて、図２４に示されるように、トリミング処理におけるトリミング形状の見本が表示される加工見本画像表示領域５６１を設けるようにする。この場合、切り取り画面（図１６）には、編集対象画像表示部５１３のみを表示させるようにし、加工結果表示領域５２３に、切り取り枠５１３Ａを表示させるようにする。
【０２２１】
なお、図示はしないが、加工画面において、テクスチャ変更処理の見本となる加工見本画像表示領域５２２に代えて、加工見本画像表示領域５６１を表示させるようにしてもよい。
【０２２２】
また、ケータイおまけ作成処理において施すことが可能な加工処理として、３種類以上の加工処理が施されるようにしてもよい。この場合、それぞれ全く異なる種類の加工処理が施されるようにしてもよいし、上述した２種類の加工処理のうち、色情報変更処理を２つのカテゴリに分けるか、または、テクスチャ変更処理を２つのカテゴリに分ける等することで、３種類の加工処理としてもよい。さらに、加工処理として、撮影処理において予め施されている、撮影画像における利用者（被写体）の目の大きさや明るさを変更する処理が、再度施されるようにしてもよい。
【０２２３】
なお、上述した加工処理の選択は、ケータイおまけ作成処理に限らず、人物が写った画像が表示される事前接客処理や撮影処理、事後接客処理において行われるようにしてもよい。
【０２２４】
例えば、撮影処理において、加工処理の選択が行われる場合、タッチパネルモニタ９２に表示されるライブビュー（動画像）に、選択された加工処理が施されるようにすることで、利用者は、その加工結果であるライブビューを確認しながら、加工後の仕上がりを簡単にイメージして撮影を行うことができる。
【０２２５】
また、以上においては、選択された加工処理は、撮影画像全体に施されるものとしたが、撮影画像において、利用者によって選択された領域にのみ施されるようにしてもよい。例えば、撮影画像において、複数の利用者が写っている場合、タッチペン１３２Ａ（１３２Ｂ）によって特定の人物領域の輪郭がなぞられたり、人物領域の一部がタップされることで、その人物領域のみに、選択された加工処理が施されるようにする。なお、人物領域は、人認識処理によって認識されるようにしてもよいし、人物以外の領域、すなわち、背景領域や、合成用画像が合成されている合成用画像領域のみに、加工処理が施されるようにしてもよい。
【０２２６】
上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０２２７】
この記録媒体は、例えば、図９に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０２２８】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２２９】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【０２３０】
また、本発明の実施の形態は、上述した実施の形態に限定されるものではなく、本発明の要旨を逸脱しない範囲において種々の変更が可能である。
【符号の説明】
【０２３１】
１  写真シール作成装置
１１  撮影ユニット
１２  編集ユニット
２０１  制御部
２０８  撮影部
２０９  編集部
３０２  編集処理部
３１１  表示制御部
３１２  入力受付部
３１３  合成処理部
３１４  加工処理部
３２１  加工見本画像表示制御部
３２２  加工結果表示制御部
３２３  背景選択画面表示制御部
【図１】
0005949699.tif 000002
【図２】
0005949699.tif 000003
【図３】
0005949699.tif 000004
【図４】
0005949699.tif 000005
【図５】
0005949699.tif 000006
【図６】
0005949699.tif 000007
【図７】
0005949699.tif 000008
【図８】
0005949699.tif 000009
【図９】
0005949699.tif 000010
【図１０】
0005949699.tif 000011
【図１１】
0005949699.tif 000012
【図１２】
0005949699.tif 000013
【図１３】
0005949699.tif 000014
【図１４】
0005949699.tif 000015
【図１５】
0005949699.tif 000016
【図１６】
0005949699.tif 000017
【図１７】
0005949699.tif 000018
【図１８】
0005949699.tif 000019
【図１９】
0005949699.tif 000020
【図２０】
0005949699.tif 000021
【図２１】
0005949699.tif 000022
【図２２】
0005949699.tif 000023
【図２３】
0005949699.tif 000024
【図２４】
0005949699.tif 000025